(57)【要約】  本発明は、特に乗務員モジュール、橋梁モジュール、及び／又は煙突モジュールとしてのいくつかのモジュールを有する船舶の上部構造に関連する。そのモジュールは互換性のあるモジュールサイズを有し、自立型の構造である。船舶のメインデッキの近傍には、乗務員モジュールを有する少なくとも１つの面があり、右舷及び／又は左舷上の少なくとも１つの面上には、右舷及び左舷側の間に空隙スペースを有するように乗務員モジュールが積層され、空隙スペースでは積荷の受け入れが行われる。本発明は、そのような船舶の上部構造の建設方法にも関する。
2009518218.tif 000002
【特許請求の範囲】
【請求項１】
特に、乗務員モジュール（２）、橋梁モジュール（３）、及び／又は煙突モジュールとしてのいくつかのモジュールを有し、
前記モジュールは互換性のあるモジュールサイズであり、
自立型の構造であり、
船舶のメインデッキ（１０）の近傍に供給された乗務員モジュール（２）を有する特定の連続面（１２）に必要な際に少なくとも１つ供給され、
右舷及び／又は左舷上の、特に、少なくとも１つの連続面（１２）上において、前記右舷（２１）モジュール及び前記左舷側（２２）モジュールの間に空隙スペースを有するように乗務員モジュール（２）が積層され、及び、
前記空隙スペースは、特に、コンテナ（６）及び／又は混合貨物である積荷の受け入れが行われること、
を有する船舶上部構造（１）。
【請求項２】
請求項１に記載の船舶の上部構造であって、前記乗務員モジュール（２）は、住居モジュール、会合（ａｓｓｏｃｉａｔｉｏｎ）モジュール(３１）、サービス（ｓｅｒｖｉｃｅ）モジュール（３２）、又は供給（ｓｕｐｐｌｙ）モジュール（３３）として建設されることを特徴とする船舶上部構造。
【請求項３】
請求項１又は２に記載の船舶の上部構造であって、積荷（６）は前記乗務員モジュール（２）上に積層可能であることを特徴とする船舶上部構造。
【請求項４】
請求項１乃至３のいずれか１に記載の船舶の上部構造であって、モジュール（２，３，４，５）は、着脱可能に相互に接続されることを特徴とする船舶上部構造。
【請求項５】
請求項１乃至４のいずれか１に記載の船舶の上部構造であって、特に、連続面（１２）には、少なくとも１つの会合モジュール(３１）及び／又は供給モジュール（３３）が供給されることを特徴とする船舶上部構造。
【請求項６】
請求項１乃至５のいずれか１に記載の船舶の上部構造であって、特に、骨組みのような構造を有する支持モジュール（４）があり、及び、支持モジュール（４）は、橋梁（３）、煙突（４３）、及び／又は、前記上部構造の部分の運搬、及び／又は、階段（９，３４）を一体化して受け入れるために供給されることを特徴とする船舶上部構造。
【請求項７】
請求項１乃至６のいずれか１に記載の船舶の上部構造であって、煙突モジュール（５）が供給され、煙突モジュール（５）が受け入れられ、特に、煙突（４３）又は煙突（４３）の部分が固定される支持モジュール（４）を有することを特徴とする船舶上部構造。
【請求項８】
請求項１乃至７のいずれか１に記載の船舶の上部構造であって、前記橋梁（３）が乗務員モジュール（２）及び／又は支持モジュール（４）に搭載され、及び、
積荷（６）を受け入れる橋梁（３）の前面及び／又は下面にモジュールのない領域が供給されることを特徴とする船舶上部構造。
【請求項９】
請求項１乃至８のいずれか１に記載の船舶の上部構造であって、橋梁（３）の高さ方向のレベルは、最大の荷重支持能力、及び／又は、船舶の積荷高さの関数として選択することができ、前記橋梁（３）の高さ方向のレベルは、支持モジュール（４）、及び／又は、橋梁モジュール（３）による船舶建設の立場から調整可能であることを特徴とする船舶上部構造。
【請求項１０】
請求項１乃至９のいずれか１に記載の船舶の上部構造であって、前記乗務員モジュール（２）、橋梁モジュール（３）、及び／又は、煙突モジュール（５）は、特に、船舶のメインデッキ（１０）上で一体化されるか、部分的に分離されるか、又は分離されて配置されることを特徴とする船舶上部構造。
【請求項１１】
請求項１乃至１０のいずれか１に記載の船舶の上部構造であって、前記船舶の長手方向に見たときに、前記乗務員モジュールは、実質的にＵ字型の構成であることを特徴とする船舶上部構造。
【請求項１２】
請求項１乃至１１のいずれか１に記載の船舶の上部構造であって、特にコンテナ（６）又は混合貨物の形式である積荷は、前記モジュール（２，３，４，５）に準拠したモジュールサイズであることを特徴とする船舶上部構造。
【請求項１３】
請求項１乃至１２のいずれか１に記載の船舶の上部構造であって、前記積層されたモジュール（２，３，４，５）は、特に供給ラインのために二重底(１３)を形成することを特徴とする船舶上部構造。
【請求項１４】
船舶の構成方法であって、
上部構造が、互換性を有し自立型の構造からなるいくつかのモジュール、特に、乗務員モジュール（２）、橋梁モジュール（３）、及び／又は煙突モジュールを備え、
必要な際に、乗務員モジュール（２）を有する特定の連続面（１２）が船舶のメインデッキ（１０）の近傍に少なくとも１つ供給され、及び、
右舷及び／又は左舷上の、特に、少なくとも１つの連続面（１２）上において、前記右舷（２１）モジュール及び前記左舷側（２２）モジュールの間に空隙スペースを有するように乗務員モジュール（２）が積層され、
前記空隙スペースは、特に、コンテナ（６）及び／又は混合貨物である積荷の受け入れが行われる。
【発明の詳細な説明】
【技術分野】
【０００１】
本発明は、いくつかのモジュールから組み立てられた船舶上部構造に関する。当該モジュールは、例えば、乗務員モジュール、橋梁モジュール、又は煙突モジュールなどである。
【背景技術】
【０００２】
従来、船舶の上部構造は、まず上部構造の外壁を組み立てて建屋の外殻に合致した中間デッキを組み込むという方法により建設される。それから、さらなる壁を組み込むことで中間デッキの内装工事が行われ、その後に結果として生じる領域が設けられる。この領域又は部屋は、通常、中間デッキが個々の領域に分割された後に船舶の供給システムに接続される。この作業は連続的な方法でのみ行われ、その結果長期の建設期間となる。
【０００３】
特許文献１により、甲板室（ｄｅｃｋｈｏｕｓｅ）を個別のモジュールから建設することは知られている。それから、例えば甲板室の外殻構造などの本体が製作され、デッキ及び支柱の支持構造とともに供給される。そして、個別のモジュールは甲板室の本体に嵌め込まれてデッキ及び支柱に溶接される。
【０００４】
さらに、モジュール的な甲板室の建設方法が特許文献２に開示されている。ここでは、まず外部構造が建設され、その中に個別のモジュールが嵌め込まれる。それからモジュールが外部構造に接合される。いくつかの基本エレメントを重ね合わせるために、当該建設にあたっては、基本エレメントの個別の層を補強する必要があり、構造内に補強梁が供給される。
【０００５】
同様な建設方法が特許文献３に記載されている。工場生産された部屋モジュールが外殻柱に嵌め込まれるが、個別の部屋モジュールはサイズの異なる単一のモジュールである。
【０００６】
外殻柱なしで製作可能なモジュール化されたさらなる甲板室の建設方法が特許文献４により知られている。
【０００７】
【特許文献１】独国特許第１９６３７５４９号明細書
【特許文献２】独国特許第１９５１７２３５号明細書
【特許文献３】独国特許第１９７０７２１７号明細書
【特許文献４】独国実用新案第２９９０７３８６号明細書
【発明の開示】
【発明が解決しようとする課題】
【０００８】
これらの甲板室又は船舶の上部構造は、船舶の全幅にわたり従来の船舶上部構造の製作と同様な方法で拡張される。これは、一般的に、乗客船の場合において最大のキャビン数を収容可能とするためには望ましい。しかし、例えば、コンテナ船などの貨物船の場合にはそうではなく、船舶上に最大の貨物の量を収納できることが望ましい。
【０００９】
本発明の目的は、異なる船舶の型式に対して柔軟に適合でき、潜在的な載荷面を全て使用できる船舶の上部構造を提供することである。
【課題を解決するための手段】
【００１０】
本発明によると、この目的は請求項１の特徴を有する船舶の上部構造により達成される。
【００１１】
それによると、本モジュールは互換性のあるモジュールサイズを有し、自立型のデザインである。必要な機能として、乗務員モジュールを有する少なくとも１つの、特に連続面か又は通し面を船舶のメインデッキの近傍に有する。右舷及び／又は左舷上の、特に、少なくとも１つの連続面上において、右舷モジュール及び左舷側モジュールの間に空隙スペースを有するように乗務員モジュールが積層され、当該空隙スペースにおいて、特に、コンテナ又は混合貨物といった積荷の受け入れが行われる。
【００１２】
さらに有利な実施形態は、従属クレームにより与えられる。
【００１３】
相互に互換性のあるモジュールサイズを有するモジュールを使用することは本発明の基本的なアイデアであり、船舶の上部構造が標準化されたコンポーネントにより極めて柔軟に建設できる。このことは、例えば、モジュールは、船体の製作の間に分離して製作可能であるという有利さを導く。すなわち、メインデッキが船体上に嵌め込まれると直ぐに、モジュールが当該デッキ上に配置される。その結果、上部構造が船舶の本体と同時に製作できることから船舶の建設期間がかなり短縮される。また、上部構造の最終的な組み立てに必要な期間も減少する。
【００１４】
異なる船舶や船舶の型式に共通して使用可能な標準化されたモジュールの使用により、モジュールの製作は大量生産が可能となり、それにより製作コストが低減される。
【００１５】
上部構造が全てのデッキ又は面上の左舷から右舷まで連続的に建設される代わりに右舷側又は左舷側、或いは両側に搭状の上部構造が供給されることは、本発明のさらなる基本的なアイデアである。これらの塔状の又は柱のような上部構造は、例えば、重ね合わされた積層モジュールを備える。好ましくは、使用されるモジュールの多くを代表することから乗務員モジュールがこれに使用される。その結果、塔状の上部構造の間に空隙スペースができ、そこを積荷、特にコンテナ又は混合貨物の受け入れに使用できる。この中間部分は、コンテナ船にさらなる追加の積荷能力が生じるという有利さとなり、左舷から右舷までを連続して建設する甲板室にはしばしば不要である。付加的な積荷能力はそのような船舶の経済性を向上させる。
【００１６】
このような上部構造の建設の結果、重量が従来の建設方法と比較して約３４％から５８％節約できる。さらに、従来の上部構造と比較して約４２％のコスト節約となる。
【００１７】
乗務員モジュールは、好ましくは、住居会合（ｌｉｖｉｎｇ  ａｓｓｏｃｉａｔｉｏｎ）３１、サービス（ｓｅｒｖｉｃｅ）、又は供給（ｓｕｐｐｌｙ）モジュールとして建設される。乗務員モジュールを異なる適用分野に対して標準化して使用することで、例えば、モジュールの外部体を標準化手法により製作でき、そして、船舶の上部構造、及び意図された使用の最終端の機能として、対応する室内工事が行われる。この室内工事の間、モジュール内部に準備された必要な接続端末に対して電気、水道、空調などの供給ラインを配備することができ、その結果、個別のモジュールの組み立てにおいて、次のラインとの接続のみが必要となる。
【００１８】
船舶の積荷面をさらに増加させるために、乗務員モジュール上に積荷を積層できることは有利である。その結果、乗務員モジュールの上部スペースはまた品物の搬送にも使用できる。積荷は原則としてランダムな形状で持ち込まれる。しかし、それが標準化された搬送コンテナの形式であれば有利となる。しかし、例えば、同じものに供給されて互換性のあるモジュールサイズを有する中空のモジュールである混合貨物を搬送することも可能である。液体を搬送する特殊なタンクモジュールも提供できる。
【００１９】
好ましい実施形態では、個々のモジュールは着脱可能に相互に接続される。その結果、例えば、船舶の個別モジュールのメンテナンスの間に計画通りに置き換えることができる。これはモジュールの設備に欠陥がある場合、又は新しい規則により追加の設備の設置が規定された場合には必要となる。このモジュールの計画的な置き換えは、モジュールに組み込まれた個別の設備を解体又は修理するよりもかなり早く実施できることから、待ち時間が低減される。これは、新たな航路による船舶の新たな用途に対して容易に適合させることが可能である。
【００２０】
特別な有利さを持って、少なくとも１つの、特に連続面に会合領域及び／又は供給領域が供給され、前記領域が特殊なモジュールの形式とすることもできる。連続面は、左舷側及び右舷側の２つの塔状の上部構造に連結する。連続面における会合領域及び／又は供給領域という有利な提供により、例えば、電気又は飲料水などの２つの塔状の上部構造への供給を、特別に容易かつ効果的に実施することができる。例えば、ギャラリーなどの会合領域を連続面に設けることで、双方の塔状の上部構造から、連結して用いられるこれらの部屋又は領域に容易に到達できるという有利さが提供できる。また、会合領域は、個々の塔状の上部構造間で容易に変更できる。
【００２１】
好ましくは、上部構造の組み立てにおいて特殊な支持モジュールが用いられ、それはまた骨組みのような構造であり、特に重量節約の有利さがある。好ましくは、支持モジュールは、橋梁、煙突、又は前記上部構造の部品の運搬のために供給される。支持モジュール内でデッキの縦方向の接続のための階段を供給することも可能である。
【００２２】
支持モジュールの付加的な使用により、例えば、橋梁又は煙突の建設において柔軟性が増す。その骨組みのような構造のため、中実なモジュールによる建設と比較してかなりの重量が低減でき、船舶全体の重量、及びそれによる船舶の燃費への積極的な影響を有し、それぞれ最大の可能な付加荷重を増大させる。
【００２３】
原則として、従来から煙突又は排気塔は上部構造に接続できる。しかし、特殊な煙突モジュールが、中空鋼管が組み込まれ又は固定された支持モジュールの形式で供給されるならば有利となる。これらの中空鋼管は、廃ガス又は使用された空気を除去するのに用いられる。エンジン又は空調システムに新鮮な空気を供給するために、他の鋼管やパイプを供給することもできる。支持モジュールに挿入された鋼管は、モジュールを付加的に補強することにも使用できる。このような建設により再度船舶の重量を低減することができる。
【００２４】
支持モジュール内で煙突の部分組み立てに加えて、例えば、供給ライン又は階段を供給することもできる。
【００２５】
従来の甲板室の場合には、橋梁は上部の末端を形成し、甲板室に直接配置されていた。好ましい実施形態において、橋梁は乗務員モジュール及び／又は支持モジュール上に搭載される。
【００２６】
例えば、乗務員モジュール上に橋梁を設置することで、橋梁の上流及び／又は下方においてモジュールのない領域が作られる。この領域が積荷を受け入れるために設計されると特に有利である。これは、さらに積荷の領域、及びそれによる船舶の載荷能力を増加させる。積荷の受け入れ構造は、例えば、標準的なコンテナサイズに対して対応する締め具が供給されるという方法で行われる。
【００２７】
橋梁高さのレベルが船舶のデータ及び型式の関数として選択できれば特に有利である。可能なデータは、例えば、最大荷重運搬能力、最大積荷高さ、又は船舶の長さなどである。必然的にいくつかのデータ及びパラメータは相互に作用し合う。橋梁の高さが支持モジュール及び／又は橋梁モジュールを通じた船舶建設の立場から適用できればこの接続において有利となる。例えば、乗務員モジュール上に付加的な支持モジュールが建設され、それから橋梁が当該支持モジュールの適切な高さに設置されるという方法により、そのような適合を行うことができる。また、中央に及び船舶の横断軸の適切な高さに拡張された支持モジュール上に橋梁を単独で設置することもあり得る。高さを柔軟にセットすることで、上部構造が特定の周囲の状況に容易に適合できることから、このモジュールは異なる船舶の型式に用いることができる。
【００２８】
特に、上部構造の位置決めについての高い自由度により、個別のモジュールが一体化された際に、船舶の型式に合わせた方法で、特に船舶のメインデッキ上で部分的に分離され、又は分離した状態で位置決めされる。これにより、個別のモジュールを分離した方法で対応する好ましい位置に設置することが可能となる。このように、例えば、乗務員モジュールを船舶の中央の領域に設置するという供給の立場からみて有利となり、橋梁が船尾の領域に位置されるというエンジンの立場からみて有利となり得る。
【００２９】
個々のモジュールの広範囲な使用の結果、それらは船舶の型式について独立して工場製作でき、個々のモジュールの生産量が増大する。これは、再度モジュールの全体のコストを下げ、その結果、このような船舶の上部構造を経済的にする。当然に、本発明の構造の結果、船舶上にいくつかの上部構造を実施することも可能である。例えば、従来の甲板室を下部構造とし、モジュールを上部構造とする結合も可能である。
【００３０】
船舶の長手方向についてみると、乗務員モジュールは実質的にＵ字型の構成であることは有利であることが証明される。これは、特にキャビンを有する多くの乗務員モジュールが自然に日光を受けることを可能にする。
【００３１】
追加として、積荷はＵ字の内側の領域に積載できる。２つの塔状の上部構造は、特にＵ字の下部を通じて容易に接続でき、例えば、職員と作業員といった分離したゾーンを作ることができる。
【００３２】
特にモジュールと互換性のあるモジュールサイズを有する積荷が好ましい。これは、積荷が上部構造モジュール上に積載されると、積荷の適合及び／又は固定をするために追加のアダプタ機器の必要がなくなることによる。これは、例えば、従来のコンテナ橋梁による建設の間に船舶上のモジュールを搬送することを可能にする。
【００３３】
供給ラインを受取るために積層されたモジュールが２重床を形成すると有利である。この２重床により、例えば、飲料用／工業用水、動力、又は空調などの既にモジュール内にあった個々の供給ラインの接続が容易にとなる。
【００３４】
本発明の大部分は、実施形態及び概略図に関連して以降に記載される。
【発明を実施するための最良の形態】
【００３５】
図１は、コンテナ船において本発明の上部構造１を備えた部分の右舷側の側面図である。ここで例示されているように、上部構造１はメインデッキ１０上から開始する。しかし、上部構造１はメインデッキ１０の上部または下部から開始することも可能である。ここに示された実施形態では、従来の上部構造は使用されない。しかし、例えば、その上にモジュールを設置するように、本発明の上部構造と従来の上部構造とを組み合わせることも可能である。
【００３６】
図１には、乗務員モジュール２、橋梁モジュール３、いくつかの支持モジュール４、及び乗務員モジュール２からも形成できる供給ゾーン１１が示される。乗務員モジュール２から橋梁３にアクセスさせるために、支持モジュール４にアクセス階段９が供給される。ここで示されるケースでは、アクセス階段９は外部階段の形式である。しかし、前記階段を覆われた構造とすることも可能である。
【００３７】
レーダ及び航法機器７は、アンテナ又は空中線８とともに橋梁３の上部デッキに供給される。橋梁モジュール３上に設置された前記機器もまた、例えば、アンテナコンテナ５１などの橋梁モジュール３上に設置されるモジュールとして製作できる。船舶及びエンジンの監視装置は、航法及び通信機器とともに橋梁３にモジュールとして既に設置されている。統合された通信及び航法機器を工場製作されたモジュールに組み込むことで、時間のかかる室内工事は必要がなくなる。アンテナコンテナ５１を用いる場合には、前記アンテナコンテナ５１用の接続部は橋梁モジュール３に予め準備できる。
【００３８】
いくつかの支持モジュール４を使用することで、船舶の型式による長さ又は最大の荷積み高さから決まる橋梁３の高さに任意に適合できる。この適切な橋梁高さは、航行において要求され一般的には十分とされる２２５°の全方位の視界を許容する。
【００３９】
支持モジュール４上又は上方において、コンテナ６が乗務員モジュール２上に積層される。乗務員モジュール２上にコンテナ６を積層する可能性により、さらなる荷積み及び搬送領域が作られ、コンテナ船の総合的な輸送能力が増大する。この場合には乗務員モジュールであるが、このようにモジュールを使用する場合には、積荷によるさらなる重量を吸収するか又は処理しなければならず、適切な終局耐力又は荷重支持強度を有し、相当の安定した方法により乗務員モジュールを建設する必要がある。
【００４０】
乗務員モジュール２上の破線は、いくつかの乗務員モジュールを組み立てる際に重ね合わせる方法で生じる２重床１３を示す。供給ライン、或いはそれに類するものを前記２重床に配置するか、又は同様のものを異なるモジュール２，３，４，５に供給することが可能である。乗務員モジュール２の底面は、メインデッキ１０に直接設置される連続面１２を形成する。原則として、いくつかの連続面１２が可能である。しかし、本発明の上部構造１にとって連続面１２を有することは重要ではない。
【００４１】
この連続面１２を従来の方法によりメインデッキ１０上に直接建設することもあり得る。その場合、乗務員モジュール２は、例えば前記従来の構造上に積層されるであろう。
【００４２】
図２は、図１の上部構造を裏側から見た図である。図２では、連続面１２は供給ゾーン１１により隠れており、その結果、乗務員モジュール２により形成されたＵ字型はその全てを見ることができない。さらに、乗務員モジュール２から左舷側及び右舷側の２つの搭状の上部構造２１，２２が示される。図１に関連して記載されるように、乗務員モジュール２上に追加のコンテナ６を積層することが可能である。橋梁モジュール３は支持モジュール４及び煙突モジュール５上に搭載される。
【００４３】
煙突又は排気ダクトモジュール５は、例えば、骨組みのような支持モジュール４に固定された煙突又は排気ダクトの部分組立品（ｓｕｂａｓｓｅｍｂｌｉｅｓ）から構成される。橋梁３が左舷及び右舷側双方の側面の船上１４を越えて突出することを可能にするための追加の支持モジュール４がある。この橋梁は乗務員モジュール上にも設置される。橋梁の高さを船舶の特性に適合させるために乗務員モジュール及び橋梁の間に支持モジュール４を用いることもあり得る。
【００４４】
図３は、図１による上部構造１の連続面１２を上部から見た断面であり、前記面の「平面」を示す。図１に示すように、上部構造１は、船首及び船尾の双方にコンテナにより骨組みされる。好ましくは、底部の連続面１２にはそれぞれ対応する特別のモジュールにより供給される会合領域（ａｓｓｏｃｉａｔｉｏｎ  ａｒｅａ）３１、サービス領域（ｓｅｒｖｉｃｅ  ａｒｅａ）３２、及び供給領域（ｓｕｐｐｌｙ  ａｒｅａ）３３が配置される。連続面１２の上部及び下部のデッキにアクセスする階段及びリフト３４があり得る。
【００４５】
供給領域３３は、例えば、電力供給、飲料水の供給、用水の供給、及び／又は下水処理に用いられる。個々のデッキの縦方向の接続も考慮される。個々のモジュール又は領域の横方向の接続は２重床１３に組み込まれる。異なる供給システムの通路から離れ、供給領域３３は、対応する生産物、又は処理施設、又は例えば飲料水用のタンクを含むことができる。図に示された、例えば、食料や給食のための領域であるサービス領域３２は、特にキッチンおよびそれに関連する貯蔵領域である。会合領域３１の例は、職員（ｏｆｆｉｃｅｓ）又は作業員（ｍｅｎ）のための食堂である。それは、例えばこの船のオフィス、洗濯場、又はこの面に配置されるパイロット室の可能性もある。
【００４６】
図４は、図１に関する上部構造１のさらに上方に位置する面を上部から再びみた断面図である。乗務員モジュールの左舷側と右舷側との間の空隙空間に、この面ではコンテナ６が配置される。付加的な載荷能力という上部構造１についての発明の構成の結果、例えば、ラフに言ってコンテナ船は１００の追加コンテナを運ぶことができる。
【００４７】
乗務員モジュール２を２つの分離したゾーンに分ける１つの可能性は、例えば、作業員用居住領域４１及びさらに職員用居住領域４２に分けることである。さらに、前記面上を４つの居住領域に分けることもできる。また、追加の船客のための領域を有することもあり得る。
【００４８】
図４から推測できるように、２人の職員の船室の広さは、ちょうど３人の作業員の船室の広さに相当する。その結果、個々のモジュールは互換性のあるモジュールサイズに保持され、その結果、建設の際には主として標準化されたコンポーネントが使用される。個々のモジュール間に形成される接触面及び隙間には、例えば泡が充填されて遮音性や断熱性が改善される。
【００４９】
また、この図により、どのように煙突モジュール５が支持モジュール４内の煙突構成部品４３を固定することで組み立てられるか推測できる。また、支持モジュール４に他の供給ラインを固定し、この方法で縦方向の供給を許容することが可能である。
【００５０】
また、供給領域１１は乗務員モジュール２を備え、それは、一体化された煙突モジュール５とは別に、追加の縦方向へのアクセスを与え、及び橋梁３を供給する領域を収容する。ここでは、例えば、階段、パイプ、ケーブル、リフト、又は空調設備のための配管が供給できる。
【００５１】
異なるモジュールが相互に一体化される上述の上部構造１とは異なり、図５に図示するように、個々のモジュールを分離して、或いは部分的に分離して用いることも可能である。乗務員２、橋梁３、及び煙突５の個々のモジュールは、メインデッキ１０上に分離して設置される。再度、橋梁モジュール３が支持モジュール４により支えられる。この図において、アンテナコンテナ５１が橋梁モジュール３上に表示される。アンテナコンテナ５１を用いることで、橋梁モジュール３の上部構造もまた標準化でき、建設をスピードアップできる。個々のモジュール２，３，４及び５を分離して用い得ることで、モジュールは特に異なる船舶のタイプに容易に用いることができ、使用範囲をかなり拡張できる。
【００５２】
このように、本発明の船舶の上部構造は、船舶の上部構造の建設期間を短縮し、付加的な載荷能力を作り出す簡易で柔軟なコンセプトを提供する。
【図面の簡単な説明】
【００５３】
【図１】本発明の上部構造及びコンテナを有するコンテナ船の部分の側面図である。
【図２】図１の上部構造の船尾を示す図である。
【図３】図１の上部構造の連続面を上方からみた断面図である。
【図４】図１の上部構造の上部面を上方からみた断面図である。
【図５】分離して位置取りされた船舶の上部構造の側面部分図である。
【符号の説明】
【００５４】
１  上部構造、２  乗務員モジュール、３  橋梁モジュール、４  支持モジュール、５  煙突モジュール（排気ダクトモジュール）、６  コンテナ、７  レーダ及び航法機器、８  アンテナ又は空中線、９  アクセス階段、１０  メインデッキ、１１  供給ゾーン、１２  連続面、１３  ２重床、１４  船上、２１，２２  搭状の上部構造、３１  会合領域、３２  サービス領域、３３  供給領域、３４  階段（リフト）、４１  作業員用居住領域、４２  職員用居住領域、４３  煙突構成部品、５１  アンテナコンテナ。
【図１】
2009518218.tif 000003
【図２】
2009518218.tif 000004
【図３】
2009518218.tif 000005
【図４】
2009518218.tif 000006
【図５】
2009518218.tif 000007
【手続補正書】
【提出日】平成20年8月18日(2008.8.18)
【手続補正１】
【補正対象書類名】特許請求の範囲
【補正対象項目名】全文
【補正方法】変更
【補正の内容】
【特許請求の範囲】
【請求項１】
特に、乗務員モジュール（２）、橋梁モジュール（３）、及び／又は煙突モジュールとしてのいくつかのモジュールを有し、
前記モジュールは互換性のあるモジュールサイズであり、
自立型の構造であり、
船舶のメインデッキ（１０）の近傍に供給された乗務員モジュール（２）を有する特定の連続面（１２）に少なくとも１つ供給され、
右舷及び／又は左舷上の、特に、少なくとも１つの連続面（１２）上において、前記右舷（２１）モジュール及び前記左舷側（２２）モジュールの間に空隙スペースを有するように乗務員モジュール（２）が積層され、及び、
前記空隙スペースは、特に、コンテナ（６）及び／又は混合貨物である積荷の受け入れが行われ、
特に、骨組みのような構造を有する支持モジュール（４）を有し、
支持モジュール（４）により供給され、特に、固定される煙突（４３）又は煙突（４３）の部品が受け入れられる煙突モジュール（５）を有する、メインデッキ（１０）を有する船舶向けの船舶上部構造（１）。
【請求項２】
請求項１に記載の船舶の上部構造であって、前記乗務員モジュール（２）は、住居モジュール、会合（ａｓｓｏｃｉａｔｉｏｎ）モジュール(３１）、サービス（ｓｅｒｖｉｃｅ）モジュール（３２）、又は供給（ｓｕｐｐｌｙ）モジュール（３３）として建設されることを特徴とする船舶上部構造。
【請求項３】
請求項１又は２に記載の船舶の上部構造であって、積荷（６）は前記乗務員モジュール（２）上に積層可能であることを特徴とする船舶上部構造。
【請求項４】
請求項１乃至３のいずれか１に記載の船舶の上部構造であって、モジュール（２，３，４，５）は、着脱可能に相互に接続されることを特徴とする船舶上部構造。
【請求項５】
請求項１乃至４のいずれか１に記載の船舶の上部構造であって、特に、連続面（１２）には、少なくとも１つの会合モジュール(３１）及び／又は供給モジュール（３３）が供給されることを特徴とする船舶上部構造。
【請求項６】
請求項１乃至５のいずれか１に記載の船舶の上部構造であって、支持モジュール（４）は、橋梁（３）、及び／又は、前記上部構造の部分の運搬、及び／又は、階段（９，３４）を一体化して受け入れるために供給されることを特徴とする船舶上部構造。
【請求項７】
請求項１乃至６のいずれか１に記載の船舶の上部構造であって、前記橋梁（３）が乗務員モジュール（２）及び／又は支持モジュール（４）に搭載され、及び、積荷（６）を受け入れる橋梁（３）の前面及び／又は下面にモジュールのない領域が供給されることを特徴とする船舶上部構造。
【請求項８】
請求項１乃至７のいずれか１に記載の船舶の上部構造であって、橋梁（３）の高さ方向のレベルは、最大の荷重支持能力、及び／又は、船舶の積荷高さの関数として選択することができ、前記橋梁（３）の高さ方向のレベルは、支持モジュール（４）、及び／又は、橋梁モジュール（３）による船舶建設の立場から調整可能であることを特徴とする船舶上部構造。
【請求項９】
請求項１乃至８のいずれか１に記載の船舶の上部構造であって、前記乗務員モジュール（２）、橋梁モジュール（３）、及び／又は、煙突モジュール（５）は、特に、船舶のメインデッキ（１０）上で一体化されるか、部分的に分離されるか、又は分離されて配置されることを特徴とする船舶上部構造。
【請求項１０】
請求項１乃至９のいずれか１に記載の船舶の上部構造であって、前記船舶の長手方向に見たときに、前記乗務員モジュールは、実質的にＵ字型の構成であることを特徴とする船舶上部構造。
【請求項１１】
請求項１乃至１０のいずれか１に記載の船舶の上部構造であって、前記モジュール（２，３，４，５）は、特に、コンテナ（６）又は混合貨物である積荷に準拠したモジュールサイズであることを特徴とする船舶上部構造。
【請求項１２】
請求項１乃至１１のいずれか１に記載の船舶の上部構造であって、前記積層されたモジュール（２，３，４，５）は、特に供給ラインのために二重底(１３)を形成することを特徴とする船舶上部構造。
【請求項１３】
メインデッキ（１０）を有する船舶向けの船舶上部構造の構成方法であって、
上部構造が、互換性を有して自立型の構造からなるいくつかのモジュール、特に、乗務員モジュール（２）、橋梁モジュール（３）、及び／又は煙突モジュールを備え、
乗務員モジュール（２）を有する特定の連続面（１２）が船舶のメインデッキ（１０）の近傍に少なくとも１つ供給され、
右舷及び／又は左舷上の、特に、少なくとも１つの連続面（１２）上において、前記右舷（２１）モジュール及び前記左舷側（２２）モジュールの間に空隙スペースを有するように乗務員モジュール（２）が積層され、
前記空隙スペースは、特に、コンテナ（６）及び／又は混合貨物である積荷の受け入れが行われ、
特に、骨組みのような構造を有する支持モジュール（４）が用いられ、
支持モジュール（４）を有する煙突モジュール（５）内で、特に、固定される煙突（４３）又は煙突（４３）の部品が受け入れられる。
【国際調査報告】
2009518218.tif 000008
2009518218.tif 000009
2009518218.tif 000010
2009518218.tif 000011
2009518218.tif 000012
2009518218.tif 000013